(57)【特許請求の範囲】
【請求項１】
加熱部を有し、記録媒体を加熱する加熱ローラと、
前記加熱部を駆動する駆動手段と、
前記加熱ローラの表面温度を検出する検出手段と、
前記検出手段からの温度データに基づいて前記駆動手段の駆動を制御する制御部と、
を備え、
前記制御部は、定着装置本体の電源がＯＮしているときに、前記検出手段を介して前記加熱ローラの表面温度を常時監視しており、前記加熱ローラの表面温度が所定値を超えると前記駆動手段を停止させ、その後前記検出手段によって前記加熱ローラの表面温度を所定時間検出し、所定時間中に前記加熱ローラの表面温度が下降したときには前記駆動手段を駆動させ、所定時間中に前記加熱ローラの表面温度が下降しないときには第１の異常を報知し、第１の異常が報知されたときには、前記駆動手段と加圧ローラの加熱部を駆動する駆動手段とを含む定着装置本体内の全駆動手段を停止させ、その後前記検出手段によって前記加熱ローラの表面温度を所定時間検出し、所定時間中に前記加熱ローラの表面温度が下降したときには前記全駆動手段を駆動させ、所定時間中に前記加熱ローラの表面温度が下降しないときには第２の異常を報知し、第２の異常が報知されたときには、定着装置本体の通電を停止する
定着装置。
【請求項２】
前記全駆動手段の停止は、所定時間間隔で実施される
請求項１に記載の定着装置。
【請求項３】
表面に静電潜像が形成される像担持体と、
前記像担持体の表面を帯電させる帯電装置と、
前記像担持体の表面を露光して静電潜像を形成させる露光装置と、
前記静電潜像を現像剤を用いて現像して現像剤像を形成する現像装置と、
前記像担持体の表面の現像剤像を記録媒体に転写する転写装置と、
記録媒体上の現像剤像を定着させる請求項１または２に記載の定着装置と、
を備える画像形成装置。
【請求項４】
定着装置本体の加熱ローラの加熱部を駆動する第１ステップと、
前記第１ステップを行ってから前記加熱ローラの表面温度を検出する第２ステップと、
定着装置本体の電源がＯＮしているときに、前記第２ステップを行って前記加熱ローラの表面温度を常時監視する第３ステップと、
前記第３ステップを行っている間に前記加熱ローラの表面温度が所定値を超えると前記加熱部を停止させる第４ステップと、
前記第４ステップを行ってから前記加熱ローラの表面温度を所定時間検出する第５ステップと、
前記第５ステップを行っている間に、前記加熱ローラの表面温度が下降したときには前記加熱部を駆動させ、前記加熱ローラの表面温度が下降しないときには第１の異常を報知する第６ステップと、
前記第６ステップにおいて前記第１の異常が報知されたときには、前記加熱部と加圧ローラの加熱部とを含む定着装置本体内の全加熱部を停止させる第７ステップと、
前記第７ステップを行ってから前記加熱ローラの表面温度を所定時間検出する第８ステップと、
前記第８ステップを行っている間に、前記加熱ローラの表面温度が下降したときには前記全加熱部を駆動させ、前記加熱ローラの表面温度が下降しないときには第２の異常を報知する第９ステップと、
前記第９ステップにおいて前記第２の異常が報知されたときには、定着装置本体の通電を停止する第１０ステップと、
を備える定着装置の異常検知方法。
【発明の詳細な説明】
【技術分野】
【０００１】
本発明は、記録媒体に像を定着させる定着装置およびこの定着装置を備える画像形成装置に関する。
【背景技術】
【０００２】
近年の画像形成装置に用いられる定着装置において、定着ローラを構成する加熱ローラに記録紙が巻きついたとき、加熱ローラは加熱用ヒータで所定の定着温度に達しているにも関わらず、温度検知部材によって検知される温度が低い値を示すため加熱用ヒータの電源がオフされず、加熱ローラの温度が上昇を続けるため火災が発生する危険があった。そこで、温度検知部材を記録紙の通過位置と通過位置以外の２箇所に設け、２個の温度検知部材が検知する温度の差を利用して記録紙の巻きつきを検知する方法があった。
【０００３】
しかしながら、このような定着装置においては、２個の温度検知部材が必要となるため、これらを取り付けるための空間を確保しなければならず、さらに配線も複雑となる。また、２個の温度検知部材による検知温度の差が一定値以上にならないと記録紙の巻きつきを検知できないため、記録紙の巻きつきを検知するまでに時間がかかるといった問題があった。
【０００４】
これらの問題に対し、１個の温度検知部材で加熱ローラの温度を検知してその温度制御を行うとともに記録紙の巻きつきも検知できる定着装置が知られている（例えば、特許文献１参照。）。
【特許文献１】特開平０７−２８７４７３号公報
【発明の開示】
【発明が解決しようとする課題】
【０００５】
しかしながら、特許文献１に記載された定着装置では、ハーネスの接触不良やソフト制御不良などの異常を検出できない。これらの異常は、加熱ローラの温度制御を不能にする。
【０００６】
本発明の目的は、加熱ローラの温度制御に関わる様々なトラブルを検出し、発火等の事故を未然に防止することが可能な定着装置を提供することにある。
【課題を解決するための手段】
【０００７】
本発明の定着装置は、加熱ローラ、駆動手段、検出手段および制御部を備える。加熱ローラは、加熱部を有し、記録媒体を加熱する。駆動手段は、加熱部を駆動する。検出手段は、加熱ローラの表面温度を検出する。制御部は、検出手段からの温度データに基づいて駆動手段の駆動を制御する。
【０００８】
この構成では、制御部は、定着装置本体の電源がＯＮしているときに、検出手段を介して加熱ローラの表面温度を常時監視しており、加熱ローラの表面温度が所定値を超えると駆動手段を停止させ、その後検出手段によって加熱ローラの表面温度を所定時間検出し、所定時間中に加熱ローラの表面温度が下降したときには駆動手段を駆動させ、所定時間中に加熱ローラの表面温度が下降しないときには第１の異常を報知し、第１の異常が報知されたときには、加熱ローラの加熱部を駆動する駆動手段と加圧ローラの加熱部を駆動する駆動手段とを含む定着装置本体内の全駆動手段を停止させ、その後検出手段によって加熱ローラの表面温度を所定時間検出し、所定時間中に前記加熱ローラの表面温度が下降したときには全駆動手段を駆動させ、所定時間中に加熱ローラの表面温度が下降しないときには第２の異常を報知し、第２の異常が報知されたときには、定着装置本体の通電を停止する。
【０００９】
この構成において、加熱ローラの表面温度が目標の温度より高いと判断した場合に加熱部の駆動を停止させ、加熱ローラの表面温度の変化を検出する。ここで、加熱ローラの表面温度が下降しないときに定着装置に異常が発生したことを報知することにより、ソフト制御不良、制御ＩＣのポート故障、ハーネスの接触不良および駆動回路の半田不良等による異常が検出可能となり、発火等の異常事態を未然に防止することが可能となる。
【発明の効果】
【００１０】
本発明における定着装置は、加熱ローラの温度制御に関わる様々なトラブルを検出し、発火等の事故を未然に防止することが可能である。
【発明を実施するための最良の形態】
【００１１】
以下、本発明の最良の実施形態に係る定着装置およびこの定着装置を備える画像形成装置を、図面を参照にしつつ詳細に説明する。
【００１２】
図１は、本発明の実施形態に係る定着装置を備える画像形成装置の構成を示す図である。
【００１３】
画像形成装置１００は、原稿の画像を読み取って記録用紙（記録媒体）に印刷する複写モード、原稿の画像を読み取って送信したり原稿の画像を読み取って受信して記録用紙に印刷したりするファクシミリモードおよび情報端末装置からネットワークを通じて受信した画像を記録用紙に印刷するプリンタモード等を選択的に行うことができる。画像形成装置１００は、その構成を大別すると、原稿搬送読取部２、画像形成部３、給紙部４および排紙処理装置５を備えている。
【００１４】
次に、複写モードを例に挙げて、画像形成装置１００の各構成について説明する。
【００１５】
原稿搬送読取部２は、画像形成装置１００の上部に位置する。原稿を原稿搬送読取部２の原稿セットトレイ１１にセットすると原稿検知センサ１２によって原稿がセットされたことが検出される。そして、原稿搬送読取部２の操作パネルを操作することにより印刷用紙のサイズおよび変倍率等を入力設定する。その後、操作パネルの操作により複写の開始を指示する。
【００１６】
これらの操作に応答して原稿搬送読取部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００１７】
このとき、第１読取部２１によって原稿の下側面を読み取る。第１読取部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を第１走査ユニット２３、第２走査ユニット２４の各反射ミラーにより結像レンズ２６へと導き、原稿の反射光を結像レンズ２６によりＣＣＤ（Charge Coupled Device）２７に集光させ、原稿の下側面の画像をＣＣＤ２７上に結像させ、これにより原稿の下側面の画像を読み取る。
【００１８】
また、第２読取部２２によって原稿の上側面を読み取る。第２読取部２２は、プラテンガラス１６の上方に配置されており、原稿の裏面を照射する露光ランプ（ＬＥＤ（Light Emitting Diode）アレイ、蛍光灯等）、画素毎に、原稿の反射光を集光するセルフォックレンズアレイおよびセルフォックレンズアレイを通じて受光した原稿の反射光を光電変換して、アナログの画像信号を出力する密着イメージセンサ（ＣＩＳ(Contact Image Sensor）等を備えている。
【００１９】
さらに、原稿搬送読取部２の上部筐体を開いて、プラテンガラス１６上に原稿を載置し、この状態で第１読取部２１により原稿の表面を読み取ることが可能である。この場合は、第１走査ユニット２３および第２走査ユニット２４を相互に所定の速度関係を維持しつつ副走査方向に移動させ、第１走査ユニット２３によってプラテンガラス１６上の原稿を露光し、第１走査ユニット２３および第２走査ユニット２４によって原稿からの反射光を結像レンズ２６へと導き、結像レンズ２６によって原稿の画像をＣＣＤ２７上に結像する。
【００２０】
こうして原稿の片面もしくは両面が読み取られると、原稿の片面もしくは両面の画像を示す画像データがマイクロコンピュータ等の制御部に入力され、ここで画像データに各種の画像処理が施され、この画像データが画像形成部３へと出力される。
【００２１】
画像形成部３は、画像データによって示される原稿の画像を記録用紙に印刷するものであって、感光体ドラム３１、帯電装置３２、レーザスキャンユニット３３、現像装置３４、転写装置３５、クリーニング装置３６、除電装置および定着装置３７等を備えている。
【００２２】
また、画像形成部３には、主搬送路３８および反転搬送路３９が設けられており、給紙部４から給紙されてきた記録用紙が主搬送路３８に沿って搬送される。給紙部４は、用紙カセット４１に収納された記録用紙または手差しトレイ４２に載置された記録用紙を１枚ずつ引き出して、記録用紙を画像形成部３の主搬送路３８へと送り出す。
【００２３】
画像形成部３の主搬送路３８に沿って記録用紙が搬送されている途中で、記録用紙が感光体ドラム３１と転写装置３５との間を通過し、さらに定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、転写装置３５と感光体ドラム３１との間を通過していく記録用紙に感光体ドラム３１表面のトナー像を転写する。定着装置３７は、記録用紙を加熱および加圧して、記録用紙上のトナー像を定着させる。
【００２４】
主搬送路３８と反転搬送路３９との接続位置には、分岐爪４３が配設されている。記録用紙の片面だけに印刷が行われる場合は、分岐爪４３が位置決めされ、この分岐爪４３により定着装置３７からの記録用紙が排紙トレイ４４または排紙処理装置５の方へと導かれる。
【００２５】
また、記録用紙の両面に印刷が行われる場合は、分岐爪４３が回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４または排紙処理装置５の方へと導かれる。
【００２６】
こうして印刷された記録用紙は、排紙トレイ４４または排紙処理装置５の方へと導かれて、排紙トレイ４４に排出されたり、排紙処理装置５の各排紙トレイ５ａのいずれかに排出される。
【００２７】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられるように各記録用紙を各排紙トレイ５ａに仕分けして排出し、排紙トレイ５ａごとに排紙トレイ５ａ上の各記録用紙にパンチング処理やステープル処理を施して、印刷物を作成する。
【００２８】
図２は、本発明の実施形態に係る定着装置の構成を示す図である。
【００２９】
定着装置３７は、加熱ローラ３７Ａ、加圧ローラ３７Ｂ、用紙剥離爪３７Ｆ，３７Ｇ、サーミスタ３７Ｈおよび制御部３７Ｊを備える。サーミスタ３７Ｈは、本発明の検出手段に相当する。
【００３０】
加熱ローラ３７Ａおよび加圧ローラ３７Ｂは、記録用紙の通過面に対向してそれぞれ配置されている。用紙剥離爪３７Ｆは加熱ローラ３７Ａより下流に、用紙剥離爪３７Ｇは加圧ローラ３７Ｂより下流に、それぞれ配置されている。サーミスタ３７Ｈは、加熱ローラ３７Ａの表面近くに配置されている。
【００３１】
加熱ローラ３７Ａは、内部にメインヒータ３７Ｃ、サブヒータ３７Ｄを有する。メインヒータ３７Ｃ、サブヒータ３７Ｄは、本発明の加熱部に相当する。メインヒータ３７Ｃは、加熱ローラ３７Ａの中央部を加熱する。サブヒータ３７Ｄは、加熱ローラ３７Ｂの両端部を加熱する。メインヒータ３７Ｃとサブヒータ３７Ｄは個別に通電制御され、加熱ローラ３７Ａ全体が均一な温度となるように制御されている。加圧ローラ３７Ｂは、内部にヒータ３７Ｅを有する。ヒータ３７Ｅは、加圧ローラ３７Ｂの表面温度が加熱ローラ３７Ａの表面温度に対して低い温度となるように加圧ローラ３７Ｂの内部を加熱する。なお、ヒータ３７Ｅは必須の構成ではない。
【００３２】
記録用紙は、矢印Ａ方向に搬送される。加熱ローラ３７Ａは、記録用紙を加熱し、記録用紙上のトナーを溶融する。加圧ローラ３７Ｂは、加熱ローラ３７Ａとの間に記録用紙を挟み、記録用紙を圧接し、記録用紙上の溶融したトナーを記録用紙に定着させる。
【００３３】
記録用紙は、加熱ローラ３７Ａによって加熱され、加圧ローラ３７Ｂによって加圧されるため、両ローラのどちらかに付着する場合がある。記録用紙は、加熱ローラ３７Ａに付着した場合は用紙剥離爪３７Ｆによって剥離され、加圧ローラ３７Ｂに付着した場合は用紙剥離爪３７Ｇによって剥離されて搬送経路の下流に搬送される。
【００３４】
サーミスタ３７Ｈは、加熱ローラ３７Ａの表面温度を測定し、この温度データを制御部３７Ｊに送る。制御部３７Ｊは、サーミスタ３７Ｈからの温度データに基づいてメインヒータ３７Ｃ、サブヒータ３７Ｄの駆動を制御する。なお、制御部３７Ｊは、定着装置３７の外側に配置されてもよい。
【００３５】
図３は、本発明の実施形態に係る定着装置の加熱ローラのヒータの構成とヒータに対応する定着温度を示す図である。
【００３６】
加熱ローラ３７Ａには、図に示すようなメインヒータ３７Ｃとサブヒータ３７Ｄが備えられている。図３（ａ）〜図３（ｃ）には、加熱ローラ３７Ａの全幅における表面温度の制御温度を表す定着温度Ｔが図示されている。図３（ａ）では、メインヒータ３７Ｃの定着温度Ｔがサブヒータ３７Ｄの定着温度Ｔを上回っている。これは、図３に示すように記録用紙Ｐは加熱ローラ３７Ａのメインヒータ３７Ｃに対応する部分を通過し、サブヒータ３７Ｄに対応する部分を通過しないためである。もっとも、記録用紙の大きさによっては、サブヒータ３７Ｄに対応する部分を通過する。そこで、大きな記録用紙が加熱ローラ３７Ａを通過するときにサブヒータ３７Ｄに対応する表面温度を遅滞なくメインヒータ３７Ｃに対応する表面温度と同じ温度にできるように予備加熱をしている。
【００３７】
図３（ｂ）は、図３（ａ）から記録用紙Ｐが加熱ローラ３７Ａを通過したときの定着温度Ｔを示す図である。記録用紙Ｐが加熱ローラ３７Ａを通過すると、加熱ローラ３７Ａの表面の熱が記録用紙Ｐに奪われ、点線で表すように一時的に定着温度Ｔが低下する。このように記録用紙Ｐに奪われた熱を補うため、メインヒータ３７Ｃを駆動させて実線で表すまでに定着温度Ｔを回復させる。
【００３８】
図３（ｃ）は、図３（ａ）から記録用紙Ｐが加熱ローラ３７Ａを通過したときの定着温度Ｔを示す図である。図３（ｃ）では、図３（ｂ）に比べてサブヒータ３７Ｄの定着温度Ｔが低い。これは、使用する記録用紙の大きさがメインヒータ３７Ｃの幅を超えないものばかりのときに、消費電力を抑えるためにサブヒータ３７Ｄの定着温度Ｔを低くしている。
【００３９】
図４は、本発明の実施形態に係る定着装置の制御部の構成を示すブロック図である。
【００４０】
制御部３７Ｊは、ＣＰＵ２００、ＲＯＭ２１０、ＲＡＭ２２０、モータドライバ２３０およびヒータドライバ２４０を有する。ヒータドライバ２４０は、本発明の駆動手段に相当する。モータドライバ２３０にはモータ２５０が接続している。ヒータドライバ２４０にはヒータ３７Ｃ，３７Ｄ，３７Ｅが接続している。
【００４１】
ＣＰＵ２００は、ＲＡＭ２２０、モータドライバ２３０およびヒータドライバ２４０を総括的に制御する。ＲＯＭ２１０は、定着装置３７の駆動に関する様々なプログラムが格納されており、ＣＰＵ２００がそれらの格納されたデータを読み取って各部を制御する。ＲＡＭ２２０は、ＣＰＵ２００のワーキングエリアとして活用され、データを一時的に記憶したりそのデータがＣＰＵ２００に読み出されたりして、ＣＰＵ２００が各部を円滑に制御できる手助けをしている。モータドライバ２３０は、ＣＰＵ２００からの命令を受け、モータ２５０を駆動させたり停止させたりする。モータ２５０には、加熱ローラ３７Ａと加圧ローラ３７Ｂとがそれぞれ接続している。モータ２５０が駆動すると加熱ローラ３７Ａおよび加圧ローラ３７Ｂがそれぞれ回転する。ヒータドライバ２４０は、ＣＰＵ２００からの命令を受け、ヒータ３７Ｃ，３７Ｄ，３７Ｅを駆動させたり停止させたりする。ヒータ３７Ｃ，３７Ｄが駆動すると加熱ローラ３７Ａが、ヒータ３７Ｅが駆動すると加圧ローラ３７Ｂが、それぞれ加熱される。
【００４２】
サーミスタ３７Ｈは、加熱ローラ３７Ａの表面温度を読み取り、そのデータをＣＰＵ２００に伝達する。ＣＰＵ２００は、サーミスタ３７Ｈからのデータに基づいてヒータドライバ２４０を制御し、ヒータ３７Ｃ，３７Ｄを駆動することによって加熱ローラ３７Ａの表面温度を調節する。加熱ローラ３７Ａの表面温度が目標温度より高くなってヒータ３７Ｃ，３７Ｄの駆動を停止させても加熱ローラ３７Ａの表面温度が下降しない場合、ＣＰＵ２００は、定着装置３７に異常が発生したと判断する。定着装置３７に異常が発生したと判断すると、ＣＰＵ２００は定着装置３７に異常が発生したことを外部に報知する。
【００４３】
図５は、本発明の実施形態に係る定着装置において定着装置の制御不良が起きた際のフローチャートである。
【００４４】
定着装置３７の電源がＯＮしているとき、サーミスタ３７Ｈは、加熱ローラ３７Ａの表面温度を随時監視している（Ｓ１）。加熱ローラ３７Ａの表面温度が目標温度より高くなったら（Ｓ２）、ヒータドライバ２４０は、ヒータ３７Ｃ，３７Ｄの駆動を停止させる（Ｓ３）。その後サーミスタ３７Ｈは、所定時間加熱ローラ３７Ａの表面温度を監視する（Ｓ４）。所定時間中に加熱ローラ３７Ａの表面温度が下降しない場合には（Ｓ５）、定着装置３７Ａに異常が起きたことを報知する（Ｓ６）。異常を報知した後、ヒータドライバ２４０は、ヒータ３７Ｅの駆動を停止させる（Ｓ７）。ヒータ３７Ｅの駆動を停止させた後、サーミスタ３７Ｈは、所定時間加熱ローラ３７Ａの表面温度を監視する（Ｓ８）。所定時間中に加熱ローラ３７Ａの表面温度が下降しない場合には（Ｓ９）、定着装置３７Ａに異常が起きたことを報知する（Ｓ１０）。異常を報知した後、ＣＰＵ２００は、定着装置３７全体の電源をＯＦＦする（Ｓ１１）。
【００４５】
図６は、本発明の第２の実施形態に係る定着装置の構成を示す図である。
【００４６】
図６に示すように、定着装置３７’において加熱ローラが複数設けられた構成のものがある。この構成において、サーミスタ３７Ｈ’が示す温度が目標温度より高い値を示した場合、まずヒータ３７Ｃ’，３７Ｄ’の駆動を停止させる。所定時間中にサーミスタ３７Ｈ’が示す温度が下降しない場合、ヒータ３７Ｃ’’，３７Ｄ’’，３７Ｅ’の駆動を停止させる。
【００４７】
本発明では、サーミスタが示す温度が目標温度よりも高い場合に各ヒータの駆動を停止させたが、これに限るものではない。上記の場合以外に、所定時間間隔にて加熱ローラ表面のサーミスタが示す温度に関わらず全てのヒータの駆動を停止させ、その状態でサーミスタの示す温度が下がるかどうかを確認することにより定着装置の異常状態を検出することが可能となる。また、所定時間間隔だけではなく、マシンがアイドル状態のとき、予熱遷移等の次ジョブ開始に対する遅延が許容される場合、電源ＯＮ後のイニシャル動作時、他の要因により印字が開始できない場合、等の次のジョブ実行に対し遅延を発生させないような場合にも、サーミスタの示す温度が下がるかどうかを確認することにより定着装置の異常状態を検出することが可能である。
【００４８】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００４９】
【図１】本発明の実施形態に係る定着装置を備える画像形成装置の構成を示す図である。
【図２】本発明の実施形態に係る定着装置の構成を示す図である。
【図３】本発明の実施形態に係る定着装置の加熱ローラのヒータの構成とヒータに対応する定着温度を示す図である。
【図４】本発明の実施形態に係る定着装置の制御部の構成を示すブロック図である。
【図５】本発明の実施形態に係る定着装置において定着装置の制御不良が起きた際のフローチャートである。
【図６】本発明の第２の実施形態に係る定着装置の構成を示す図である。
【符号の説明】
【００５０】
３７−定着装置
３７Ａ−加熱ローラ
３７Ｃ，３７Ｄ−ヒータ
３７Ｈ−サーミスタ
２４０−ヒータドライバ
【図１】
0004649485.tif 000002
【図２】
0004649485.tif 000003
【図３】
0004649485.tif 000004
【図４】
0004649485.tif 000005
【図５】
0004649485.tif 000006
【図６】
0004649485.tif 000007